(57)【要約】【課題】  洗面所の機能である収納力を阻害せずに、主に小物洗いの乾燥に好適に用いられる乾燥機能を備えた洗面化粧台を提供すること。【解決手段】  この洗面化粧台ＳＬＤは、化粧鏡ＬＭの上方に配置される洗面所暖房機ＨＵと、化粧鏡ＬＭの側方に設けられてなる側方収納庫ＳＬＣに設けられ、洗面所暖房機ＨＵから吹き出される空気が供給されるように構成された洗濯物乾燥庫ＤＬと、を備え、洗面所にのみ温風を供給する洗面所暖房モードと、洗濯物乾燥庫ＤＬにのみ温風を供給する洗濯物乾燥モードとを選択実行可能なように構成していることを特徴とする。【選択図】  図２
2010046245.tif 000002
【特許請求の範囲】
【請求項１】
化粧鏡と化粧台と洗濯物乾燥庫とを含む洗濯物乾燥庫付き洗面化粧台であって、
前記化粧鏡の上方に配置され、吸引口より空気を吸引して加熱し、その加熱した空気を吹出口より吹き出す暖房機と、
前記化粧鏡の周囲の少なくとも一部に設けられた収納庫と、
前記鏡の側方に設けられてなる前記収納庫の側方収納部分に設けられ、前記暖房機から吹き出される空気が供給されるように構成された洗濯物乾燥庫を含む洗濯物乾燥ユニットと、を備え、
前記洗濯物乾燥ユニットは、
前記側方収納部分に対して取り外し自在に設けられ、
前記洗濯物乾燥庫を挟んで、下部に吸気ユニット部を、上部に排気ユニット部をそれぞれ有することを特徴とする洗濯物乾燥庫付き洗面化粧台。
【請求項２】
前記洗濯物乾燥庫は、その内部における洗濯物収納空間内の圧力が所定値以上となった場合であっても、前記排気ユニット部に空気を排出し続け、前記洗濯物収納空間内に空気が供給され続けることができるように構成されていることを特徴とする請求項１に記載の洗濯物乾燥庫付き洗面化粧台。
【請求項３】
前記洗濯物乾燥庫は、前記吸気ユニット部側から前記排気ユニット側へと繋がるバイパス通路を有し、
前記バイパス通路は、前記洗濯物収納空間に通じる横開口が設けられていることを特徴とする請求項２に記載の洗濯物乾燥庫付き洗面化粧台。
【請求項４】
前記洗濯物乾燥庫は、乾燥する対象となる洗濯物が配置される第一空間と、該洗濯物が配置されない第二空間とを有する二重構造として構成され、
前記第二空間に前記暖房機から吹き出された空気を通すことで前記第一空間を暖めて、前記第一空間内に配置される洗濯物を乾燥させることを特徴とする請求項１に記載の洗濯物乾燥庫付き洗面化粧台。
【請求項５】
前記第二空間に導入された空気は洗面所内に循環され、前記第一空間に導入された空気は循環せずに洗面所から排出されることを特徴とする請求項４に記載の洗濯物乾燥庫付き洗面化粧台。
【請求項６】
前記吸気ユニット部には、前記洗濯物乾燥庫へ供給する空気を通すためのフィルターが交換自在に設けられていることを特徴とする請求項１に記載の洗濯物乾燥庫付き洗面化粧台。
【請求項７】
前記吸気ユニット部には、前記洗濯物乾燥庫へ供給する空気に殺菌作用若しくは芳香作用を奏する機能ユニット部が交換自在に設けられていることを特徴とする請求項１に記載の洗濯物乾燥庫付き洗面化粧台。
【請求項８】
前記排気ユニット部には、前記洗濯物乾燥庫から排出される空気を脱臭するための脱臭部材が交換自在に設けられていることを特徴とする請求項１に記載の洗濯物乾燥庫付き洗面化粧台。
【請求項９】
前記吸気ユニット部の背面には吸気ダクトとの接続手段が、前記排気ユニット部の背面には排気ダクトとの接続手段が、それぞれ設けられていることを特徴とする請求項１に記載の洗濯物乾燥庫付き洗面化粧台。
【請求項１０】
前記洗濯物乾燥ユニットは、前記側方収納部分との間に設けられたガイド手段によってガイドされながら収納され、自動的に前記吸気ダクト及び前記排気ダクトとの接続が行われることを特徴とする請求項１に記載の洗濯物乾燥庫付き洗面化粧台。
【請求項１１】
前記排気ユニット部には、前記洗濯物乾燥庫から排出される空気から水分を除去するための結露部材が設けられていることを特徴とする請求項１に記載の洗濯物乾燥庫付き洗面化粧台。
【請求項１２】
前記排気ユニット部には、前記洗濯物乾燥庫から排出される空気を脱臭するための脱臭部材が設けられ、
前記結露部材は前記脱臭部材よりも上流側に配置されていることを特徴とする請求項１１に記載の洗濯物乾燥庫付き洗面化粧台。
【請求項１３】
前記側方収納部分の後方側に、吸気ダクト及び排気ダクトを含む給排気ユニットを備え、
前記給排気ユニットの前面に前記洗濯物乾燥ユニットを格納することで、前記給排水ユニットと前記洗濯物乾燥ユニットとが結合されるように構成されていることを特徴とする請求項１に記載の洗濯物乾燥庫付き洗面化粧台。
【発明の詳細な説明】
【技術分野】
【０００１】
本発明は、化粧鏡、化粧台に加えて洗濯物乾燥庫を備えた洗濯物乾燥庫付き洗面化粧台に関する。
【背景技術】
【０００２】
洗面化粧台が設置される洗面所では、その空間を暖房するニーズがあり、洗面所空間を暖房する暖房機を備える洗面化粧台が提案されている（例えば、下記特許文献１参照）。下記特許文献１に記載された洗面化粧台には、暖房機の温風を利用して衣類等の乾燥もできるように構成されている。また、衣類ではなく歯ブラシ等を収納する空間に暖房機の温風を導入して歯ブラシ等の乾燥を行う洗面化粧台も提案されている（例えば、下記特許文献２参照）。
【特許文献１】特開平５−１５７３５６号公報
【特許文献２】特開平３−８５１２２号公報
【発明の開示】
【発明が解決しようとする課題】
【０００３】
ところで、洗濯物乾燥庫付き洗面化粧台における洗濯物乾燥機能に求められるニーズをより深く検討すると、上記従来の技術では使用者のニーズに十分対応できていないことを本発明者は見いだした。
【０００４】
具体的には、洗面化粧台における洗濯物乾燥機能を考察すると、洗面所には、洗面化粧台とは別に乾燥機付き洗濯機や、専用の大型乾燥機が配置されていることが多いことから、洗面化粧台に洗面所暖房機を活用した洗濯物の乾燥機能が付属されていたとしても、メインの洗濯物乾燥機として積極的に活用するような状況にはならないものと推察される。
【０００５】
つまり、使用者としては、通常量の洗濯に際しては洗濯機で洗い、その後、洗濯機の乾燥機能や大型乾燥機を用いて洗濯物を乾燥させることが一般的で、大型の乾燥機が無いような家庭においても屋内外で自然乾燥させることが一般的であると推察される。このように大型の乾燥機や自然乾燥によるのは、洗面化粧台に付属した洗濯物の乾燥機能では、乾燥性能や収納量等の点で課題があって、このような通常の洗濯シーンでの使用に際しては使い勝手が低いことが主な理由であると推察され、洗面化粧台の乾燥機能によって代替されることはないものと思われる。
【０００６】
ところが、手もみ洗いを行う女性物の下着や、汚れた状態を放置しておきたくない幼児用のオムツや衣類、または、すぐに洗って使いたい子供の体操着等については、極少量であることから、ランニングコストの面から大型乾燥機を用いずに、このような洗濯物については、室内や屋外での自然乾燥が一般的で、朝までに乾かしておきたい体操服や水着などの急を要するような場合においても大型の乾燥機（浴室乾燥機では、空間が大きいため少量の衣類乾燥では、電気代や時間がかかるため）は用いずに、ハンドドライヤー等によって乾燥を行うことが多いことがわかった。このような状況を考えると、こういう極少量の特別な衣類の乾燥に際しては洗面化粧台に付属した小型の洗濯物乾燥庫での乾燥が好適であるように感じるが、従来の洗面化粧台に付属した洗濯物乾燥庫では、このようなニーズのある洗濯物乾燥に対しても使用者が満足できるような状況にはなかったようである。
【０００７】
この点を詳述すると、洗濯物乾燥庫付き洗面化粧台は、洗面化粧台に組込まれた洗面所暖房機を利用しての洗濯物の乾燥機能であるため、上記のような特定の衣類のためだけに小型の乾燥機を別途購入する必要がなく、また、洗面化粧台に組込まれた乾燥庫であるため狭い洗面所空間のスペースを更に狭くするようなこともないことから、洗濯物乾燥庫付き洗面化粧台は、コストの面やスペースの面で非常に有利で、魅力的な商品と言えるものである。
【０００８】
しかし、従来の洗濯物乾燥庫付き洗面化粧台にあっては、使用者に満足頂けていない多くの課題があった。そのような多くの課題の中で、最も大きな問題としてあったのは、施工性の問題である。洗面化粧台に洗濯物乾燥庫を組込む場合、暖房機からの配管や乾燥後の排気を行うための配管を繋ぐ必要があり、その組み付けは容易なものではなかった。
【０００９】
そこで本発明では、洗面所に対する乾燥や暖房という本来機能を損なうことなく、少量の衣類を手軽に低コストで不満なく乾燥させることができ、洗濯物乾燥庫を取り付ける際の施工性も向上させることも可能な洗濯物乾燥庫付き洗面化粧台を提供することを目的とする。
【課題を解決するための手段】
【００１０】
本願請求項１に係る発明は、化粧鏡と化粧台と洗濯物乾燥庫とを含む洗濯物乾燥庫付き洗面化粧台であって、前記化粧鏡の上方に配置され、吸引口より空気を吸引して加熱し、その加熱した空気を吹出口より吹き出す暖房機と、前記化粧鏡の周囲の少なくとも一部に設けられた収納庫と、前記鏡の側方に設けられてなる前記収納庫の側方収納部分に設けられ、前記暖房機から吹き出される空気が供給されるように構成された洗濯物乾燥庫を含む洗濯物乾燥ユニットと、を備え、前記洗濯物乾燥ユニットは、前記側方収納部分に対して取り外し自在に設けられ、前記洗濯物乾燥庫を挟んで、下部に吸気ユニット部を、上部に排気ユニット部をそれぞれ有することを特徴とする。
【００１１】
本発明によれば、暖房機を化粧鏡の上方に配置しているので、化粧鏡に温風を吹き付けることが可能となり、衣類乾燥に伴う湿度上昇があっても化粧鏡の曇りを確実に防止することができる。また、洗濯物乾燥庫を化粧鏡側方の収納庫内に設けているので、使用者の目線の位置近くに配置することができるため洗濯した衣類の出し入れが非常に容易となる。
【００１２】
更に、洗濯物を乾燥させるための洗濯物乾燥庫を含む洗濯物乾燥ユニットを構成し、この洗濯物乾燥ユニットが洗濯物乾燥庫を挟んで吸気ユニット部と排気ユニット部とを有しているので、洗濯物乾燥ユニットを収納庫に収めることで簡便に洗濯物乾燥機能が付いた洗面化粧台を構成することができる。従って、洗濯物乾燥機能の有無をバリエーション展開することが容易で、施工性に優れた洗濯物乾燥庫付き洗面化粧台を提供することができる。
【００１３】
更に、化粧鏡の上方に暖房機を配置すると共に、化粧鏡の側方に洗濯物乾燥庫を配置することで、暖房機と洗濯物乾燥庫それぞれの最適配置を実現することができることに加えて、相互に近接した位置に配置できるので、暖房機から吹き出される空気を効率的に洗濯物乾燥庫に送り込むことができる。具体的には、化粧鏡を基準として、上方に暖房機を、側方に洗濯物乾燥庫を、それぞれ配置することで、洗濯物乾燥庫は暖房機よりも下側で近接配置されることになる。従って、暖房機から吹き出される空気の流れは洗面所への吹出と同じ下方に向かうことになり、スムーズな流れにできるので空気抵抗を不必要に高めることがなく洗濯物乾燥庫に空気を確実に送り込むことができる。また、暖房機と洗濯物乾燥庫は、互いの距離が近くできるため、この点からも空気抵抗を不必要に高めることがなく洗濯物乾燥庫に確実に空気を送り込むことができる。
【００１４】
本願請求項２に係る発明は、前記洗濯物乾燥庫は、その内部における洗濯物収納空間内の圧力が所定値以上となった場合であっても、前記排気ユニット部に空気を排出し続け、前記洗濯物収納空間内に空気が供給され続けることができるように構成されていることを特徴とする。
【００１５】
この発明によれば、洗濯物乾燥庫内の洗濯物収納空間における内部圧力が所定値以上となった場合であっても、洗濯物収納空間内に空気を供給し続けることができるように構成しているので、暖房機側からの空気の押し込み力を高めることなく、洗濯物乾燥庫内へ適正量の空気を供給することができる。従って、洗濯物乾燥庫の容量を乾燥対象となる洗濯物の容量に合わせて小型化することができ、洗面化粧台の収納機能といった他の機能を犠牲にすることがない。
【００１６】
本願請求項３に係る発明は、前記洗濯物乾燥庫は、前記吸気ユニット部側から前記排気ユニット側へと繋がるバイパス通路を有し、前記バイパス通路は、前記洗濯物収納空間に通じる横開口が設けられていることを特徴とする。
【００１７】
この発明によれば、洗濯物収納空間内に対して側方からも空気を供給することができるので、洗濯物収納空間内の圧力が高まっても、空気を供給し続けることが容易に可能となり、乾燥性能を高めることができる。
【００１８】
本願請求項４に係る発明は、前記洗濯物乾燥庫は、乾燥する対象となる洗濯物が配置される第一空間と、該洗濯物が配置されない第二空間とを有する二重構造として構成され、前記第二空間に前記暖房機から吹き出された空気を通すことで前記第一空間を暖めて、前記第一空間内に配置される洗濯物を乾燥させることを特徴とする。
【００１９】
この発明によれば、暖房機から吹き出された空気は第二空間を通り、洗濯物が配された第一空間は通過しないので、洗濯物収納空間内を空気が通ることにより空気抵抗の発生を抑制することができる。また、第二空間を通る空気は洗濯物に接触しないので、洗濯物の匂い等が移ったり、洗濯物の湿気に起因して空気の含有水分が上昇したりといったことが発生しない。
【００２０】
本願請求項５に係る発明は、前記第二空間に導入された空気は洗面所内に循環され、前記第一空間に導入された空気は循環せずに洗面所から排出されることを特徴とする。
【００２１】
上述したように、第二空間を通る空気は洗濯物に接触しないので、洗濯物の匂い等が移ったり、洗濯物の湿気に起因して空気の含有水分が上昇したりといったことが発生しない。従って、その空気を洗面所内に循環させて利用しても洗面所内を快適な空間として保つことができる。また、第二空間を通る空気を洗面所外へ排気しないようにすれば、省エネルギーにも資することになる。
【００２２】
本願請求項６に係る発明は、前記吸気ユニット部には、前記洗濯物乾燥庫へ供給する空気を通すためのフィルターが交換自在に設けられていることを特徴とする。
【００２３】
この発明によれば、暖房機から吹き出される空気が汚れていても、フィルターよってその汚れを除去できるので、暖房機に何ら特別な手段を講ずることなく洗濯物の汚損を抑制することができる。
【００２４】
本願請求項７に係る発明は、前記吸気ユニット部には、前記洗濯物乾燥庫へ供給する空気に殺菌作用若しくは芳香作用を奏する機能ユニット部が交換自在に設けられていることを特徴とする。
【００２５】
この発明によれば、吸気ユニット部に機能ユニット部を設けることで、洗濯物乾燥庫へ供給する空気を殺菌したり香り付けしたりすることができるので、簡便な構成で自然乾燥には無い付加価値のある乾燥を行うことができる。特に、下着やおしめといった汚れやすい洗濯物であっても、上述した付加価値のある乾燥を行うことができる。また、機能部分をユニット化して吸気ユニット部に交換自在に設けることで、機能ユニット部を設けるための空間を別途設ける必要がなく、その交換も容易に行うことができる。
【００２６】
本願請求項８に係る発明は、前記排気ユニット部には、前記洗濯物乾燥庫から排出される空気を脱臭するための脱臭部材が交換自在に設けられていることを特徴とする。
【００２７】
この発明によれば、排気ユニット部に脱臭部材を設けることで、洗濯物乾燥庫から排気された空気の匂いを確実に除去することができ、洗面所内に匂いが充満することを抑制できる。また、機能部分を脱臭部材として排気ユニット部に交換自在に設けることで、脱臭部材を設けるための空間を別途設ける必要がなく、その交換も容易に行うことができる。
【００２８】
本願請求項９に係る発明は、前記吸気ユニット部の背面には吸気ダクトとの接続手段が、前記排気ユニット部の背面には排気ダクトとの接続手段が、それぞれ設けられていることを特徴とする。
【００２９】
この発明によれば、吸気ユニット部の背面には吸気ダクトとの接続手段が設けられているので、吸気ダクトとの接続を容易に行うことができる。また、排気ユニット部の背面には排気ダクトとの接続手段が設けられているので、排気ダクトとの接続を容易に行うことができる。従って、洗濯物乾燥ユニットを収納庫に配置することが容易なものとなり、洗濯物乾燥機能の有無をバリエーション展開することが容易で、施工性に優れた洗面化粧台を提供することができる。
【００３０】
本願請求項１０に係る発明は、前記洗濯物乾燥ユニットは、前記側方収納部分との間に設けられたガイド手段によってガイドされながら収納され、自動的に前記吸気ダクト及び前記排気ダクトとの接続が行われることを特徴とする。
【００３１】
この発明によれば、洗濯物乾燥ユニットを収納庫の側方収納部分に収納する際に、洗濯物乾燥ユニットと側方収納部分との間に設けられたガイド手段によってガイドされながら収納され、その結果として自動的に吸気ダクト及び排気ダクトとの接続が確実に行われるので、洗濯物乾燥ユニットを容易に収納庫の側方収納部分に配置することができる。従って、洗濯物乾燥ユニットを収納庫に配置することが容易なものとなり、洗濯物乾燥機能の有無をバリエーション展開することが容易で、施工性に優れた洗面化粧台を提供することができる。
【００３２】
本願請求項１１に係る発明は、前記排気ユニット部には、前記洗濯物乾燥庫から排出される空気から水分を除去するための結露部材が設けられていることを特徴とする。
【００３３】
この発明によれば、結露部材を排気ユニット部に設けることで、洗濯物乾燥庫から排出される空気から水分を容易且つ確実に除去することができる。また、結露部材は排気ユニット部に設けられているので、結露部材が除去した水分である結露水の処理を洗濯物乾燥ユニット内で行うことができる。更に、結露部材を別途設ける場合に比較して、洗面化粧台の収納を犠牲にすることもない。
【００３４】
本願請求項１２に係る発明は、前記排気ユニット部には、前記洗濯物乾燥庫から排出される空気を脱臭するための脱臭部材が設けられ、前記結露部材は前記脱臭部材よりも上流側に配置されていることを特徴とする。
【００３５】
この発明によれば、結露部材を脱臭部材よりも上流に配置しているので、脱臭部材には水分が除去された空気が供給される。従って、脱臭部材の損傷を回避することができると共に脱臭部材による脱臭効果をより高めることができ、排出空気の匂いを効果的に除去することができる。
【００３６】
本願請求項１３に係る発明は、前記側方収納部分の後方側に、吸気ダクト及び排気ダクトを含む給排気ユニットを備え、前記給排気ユニットの前面に前記洗濯物乾燥ユニットを格納することで、前記給排水ユニットと前記洗濯物乾燥ユニットとが結合されるように構成されていることを特徴とする。
【００３７】
この発明によれば、吸気ダクト及び排気ダクトを含む給排気ユニットを備え、その給排気ユニットの前面に洗濯物乾燥ユニットを格納することで双方のユニットが結合されるように構成されているので、洗濯物乾燥ユニットを配置する前に給排気ユニットを後方に配し、その後洗濯物乾燥ユニットを配置して給排気ユニットと接続することができる。従って、洗濯物乾燥ユニットを収納する部分の間口開口が狭くても、洗濯物乾燥ユニットの後方において確実に吸気ダクト及び排気ダクトと接続することができる。
【発明の効果】
【００３８】
本発明によれば、洗面所に対する乾燥や暖房という本来機能を損なう事のない、少量の特別な衣類の乾燥等を手軽に行える使い勝手の良い洗濯物乾燥庫付き洗面化粧台を提供することができるものである。
【発明を実施するための最良の形態】
【００３９】
以下、添付図面を参照しながら本発明の好適な実施の形態について説明する。説明の理解を容易にするため、各図面において同一の構成要素に対しては可能な限り同一の符号を付して、重複する説明は省略する。
【００４０】
最初に、本実施形態に係る洗面化粧台が設置される集合住宅の構成について説明する。
図１は本実施形態に係る洗面化粧台が設置された集合住宅の概略構成を示す図である。
【００４１】
図１に示すように、住宅１内には、水周り設備が設けられた部屋として、浴室２、洗面所３及びトイレ４が配置され、これら以外に、ウォークイン形式のクローゼット５、押入、収納室、台所、寝室、リビングルームなどが配置されている。浴室２を換気し、乾燥させ、暖房するための浴室乾燥機２０の本体部２０ａは、浴室２の天井裏に配置され、排気通路６及び換気通路８，１０，１２等が接続されている。排気通路６は屋外に開口した排気口７に連通し、換気通路８は洗面所３内に開口した吸気グリル９に連通し、換気通路１０はトイレ４内に開口した吸気グリル１１に連通し、換気通路１２はクローゼット５内に開口する吸気グリル１３に連通している。洗面所３の壁面には操作パネル１４が設置され、トイレ４の壁面にはトイレ換気スイッチ１５が設置されている。
【００４２】
洗面所３には、本実施形態に係る洗面化粧台ＳＬＤが設置されている。洗面化粧台ＳＬＤは、洗面器が設けられた化粧台ＬＤと、化粧台ＬＤの上部に設けられた化粧鏡ＬＭとを含み、更に、化粧鏡ＬＭの上方に設けられた上方収納庫ＵＬＣ（収納庫、暖房機収納空間）と、化粧鏡ＬＭ及び化粧台ＬＤの側方に設けられた側方収納庫ＳＬＣ（収納庫、側方収納部分）とを含むものである。
【００４３】
上方収納庫ＵＬＣの内部には、洗面所暖房機ＨＵ（暖房機）が設けられている。洗面所暖房機ＨＵは、洗面所３の室内を暖め、後述する洗濯物乾燥庫ＤＬ及び歯ブラシ収納庫ＳＬ内に温風を吹き出すように構成されている。
【００４４】
側方収納庫ＳＬＣの内部には、洗濯物乾燥庫ＤＬを含む洗濯物乾燥ユニットＤＵと歯ブラシ収納庫ＳＬを含む歯ブラシ収納ユニットＳＵとが設けられている。洗濯物乾燥庫ＤＬ及び歯ブラシ収納庫ＳＬには、洗面所暖房機ＨＵから吹き出される温風が導入され、その内部に置かれた洗濯物や歯ブラシを乾燥することが可能なように構成されている。
【００４５】
続いて、洗面所暖房機ＨＵや洗濯物乾燥ユニットＤＵを中心とした洗面化粧台ＳＬＤについて図２を参照しながら説明する。図２に示すように、洗面化粧台ＳＬＤは、化粧台ＬＤと、化粧鏡ＬＭと、上方収納庫ＵＬＣと、側方収納庫ＳＬＣと、洗面所暖房機ＨＵと、洗濯物乾燥ユニットＤＵと、歯ブラシ収納ユニットＳＵと、を備えている。
【００４６】
化粧台ＬＤは、キャビネット３２の上にカウンター３３が戴置されており、カウンター３３には洗面器３４と水洗金具３５とが取り付けられている。洗面器３４には排水トラップ３２ａが取り付けられていて、水洗金具３５から吐水された水は排水トラップ３２ａを経由して排水される。
【００４７】
化粧鏡ＬＭは、化粧台ＬＤの上方における壁に取り付けられている。化粧鏡ＬＭは、鏡３６と、照明装置３７とを備えている。化粧鏡ＬＭの上方における壁には、上方収納庫ＵＬＣが取り付けられている。洗面所暖房機ＨＵは、上方収納庫ＵＬＣ内に設けられている。
【００４８】
化粧台ＬＤ、化粧鏡ＬＭ、及び上方収納庫ＵＬＣの側方における壁には、側方収納庫ＳＬＣが取り付けられている。側方収納庫ＳＬＣは、三つの部分に分割されており、下から順に、側方収納庫ＳＬＣ１、側方収納庫ＳＬＣ２、側方収納庫ＳＬＣ３となっている。側方収納庫ＳＬＣ１は、化粧台ＬＤの側方に取り付けられている。側方収納庫ＳＬＣ２は、化粧鏡ＬＭの側方に取り付けられている。側方収納庫ＳＬＣ３は、上方収納庫ＵＬＣの側方に取り付けられている。洗濯物乾燥ユニットＤＵ及び歯ブラシ収納ユニットＳＵは、側方収納庫ＳＬＣ２内に設けられている。
【００４９】
洗面所暖房機ＨＵは、吸引口４１と、ファン４２と、ヒーター４３と、第一吹出口４４（第一吹出部、吹出口）と、第二吹出口４５（第二吹出部、吹出口）と、ダンパ４６と、を備えている。ファン４２の回転によって、吸引口４１から吸引された空気は、ヒーター４３によって加熱される。加熱された空気は、第一吹出口４４及び第二吹出口４５の一方若しくは双方から吹き出される。ヒーター４３によって加熱された空気は、ダンパ４６によって第一吹出口４４又は第二吹出口４５から吹き出されるか、若しくは双方から吹き出されるかが調整される。ダンパ４６が第一吹出口４４を塞いでいれば、第二吹出口４５からのみ加熱された空気が吹き出される。ダンパ４６が第二吹出口４５を塞いでいれば、第一吹出口４４からのみ加熱された空気が吹き出される。また、ダンパ４６が第一吹出口４４と第二吹出口４５との間に位置しており、いずれも塞いでいなければ、第一吹出口４４及び第二吹出口４５の双方から加熱された空気が吹き出される。
【００５０】
第一吹出口４４は、化粧鏡ＬＭに向けて下方に開口されている。従って、第一吹出口４４から吹き出される温風を、化粧鏡ＬＭに向けて吹き出して鏡３６の曇り止めとして利用したり、化粧台ＬＤの前に立っている使用者に向けて吹き出して室内暖房として利用したりすることができる。
【００５１】
第二吹出口４５は、側方収納庫ＳＬＣ３に向けて側方に開口されている。第二吹出口４５には、吸気ダクトＤinが繋がれている。吸気ダクトＤinは、ダクトＤ０１、ダクトＤ０２、ダクトＤ０３から構成されている。ダクトＤ０１は、一端が第二吹出口４５に繋がれていて、他端はダクトＤ０２とダクトＤ０３とに分岐するように繋がれている。ダクトＤ０２は、一端がダクトＤ０１に繋がれていて、他端は洗濯物乾燥ユニットＤＵの洗濯物乾燥庫ＤＬに繋がれている。ダクトＤ０３は、一端がダクトＤ０１に繋がれていて、他端は歯ブラシ収納ユニットＳＵの歯ブラシ収納庫ＳＬに繋がれている。従って、第二吹出口４５から吹き出される温風を、洗濯物乾燥庫ＤＬと歯ブラシ収納庫ＳＬとに分岐して送り込むことができる。ダクトＤ０１、ダクトＤ０２、及びダクトＤ０３は、側方収納庫ＳＬＣの後壁面近傍に沿って配置されており、側方収納庫ＳＬＣの前側の収納スペースを有効活用できるように工夫されている。
【００５２】
ここで、図３〜６を参照しながら、洗面所暖房機ＨＵを上方収納庫ＵＬＣへ収容する態様について更に説明する。図３は、洗面所暖房機ＨＵを上方収納庫ＵＬＣへ収容する第一態様について説明するための図である。図４は、図３のＡ―Ａ断面図である。図５は、洗面所暖房機ＨＵを上方収納庫ＵＬＣへ収容する第二態様について説明するための図である。図６は、図５のＢ―Ｂ断面図である。
【００５３】
図３及び図４に示す第一態様では、上方収納庫ＵＬＣ内の空間を前後に区切り、後方の空間ＵＬＣ１と前方の空間ＵＬＣ２とに分割している。前方の空間ＵＬＣ２は収納空間として利用できるように構成されている。後方の空間ＵＬＣ１は、洗面所暖房機ＨＵを収容するための空間として利用できるように構成されている。この第一態様では、洗面所暖房機ＨＵを縦に配置している。また、第一吹出口４４は、化粧鏡ＬＭ寄り（壁面寄り）に下方に向けて配置されており、第二吹出口４５は、化粧鏡ＬＭ寄り（壁面寄り）に側方に向けて配置されている。
【００５４】
図５及び図６に示す第一態様では、上方収納庫ＵＬＣ内の空間を上下に区切り、下方の空間ＵＬＣ３と上方の空間ＵＬＣ４とに分割している。上方の空間ＵＬＣ４は収納空間として利用できるように構成されている。下方の空間ＵＬＣ３は、洗面所暖房機ＨＵを収容するための空間として利用できるように構成されている。この第二態様では、洗面所暖房機ＨＵを横に配置している。また、第一吹出口４４は、化粧鏡ＬＭ寄り（壁面寄り）に下方に向けて配置されており、第二吹出口４５は、化粧鏡ＬＭ寄り（壁面寄り）に側方に向けて配置されている。
【００５５】
図２に戻って、他の構成要素について説明する。洗濯物乾燥ユニットＤＵは、側方収納庫ＳＬＣ２内に設けられている。洗濯物乾燥ユニットＤＵには、上述した吸気ダクトＤinと、排気ダクトＤoutとが接続されている。より具体的には、吸気ダクトＤinを構成するダクトＤ０２と、排気ダクトＤoutを構成するダクトＤ０４とが接続されている。従って、洗面所暖房機ＨＵから吹き出された温風がダクトＤ０２から供給され、ダクトＤ０４から排出することができるように構成されている。洗濯物乾燥ユニットＤＵにおいて洗濯物の乾燥の結果集められた水は、ドレン管ＤＲを通って排水トラップ３２ａへと排出される。
【００５６】
ここで、図７を参照しながら、洗濯物乾燥ユニットＤＵについてより詳細に説明する。図７に示すように、洗濯物乾燥ユニットＤＵ内には、吸気ダクトＤin側にフィルターＤＬ１、除菌ユニットＤＬ２、及び芳香ユニットＤＬ３が、排気ダクトＤout側に排気ファンＤＬ４（専用排気ファン）及び脱臭ユニットＤＬ５が、それぞれ設けられている。また、洗濯物乾燥ユニットＤＵには、洗濯物乾燥庫ＤＬが形成されており、この洗濯物乾燥庫ＤＬに空気を流入させるための空気流入口ＤＬ８と、洗濯物乾燥庫ＤＬから空気を流出させるための空気流出口ＤＬ９とが形成されている。空気流入口ＤＬ８は洗濯物乾燥庫ＤＬの下方に、空気流出口ＤＬ９は洗濯物乾燥庫ＤＬの上方に、それぞれ設けられている。洗濯物乾燥庫ＤＬには、空気のバイパス経路として、第一通路ＤＬ１０と第二通路ＤＬ１１とが設けられている。第一通路ＤＬ１０は、洗濯物乾燥庫ＤＬの中心近傍を貫通するように配置されている。第二通路ＤＬ１１は、洗濯物乾燥庫ＤＬの周囲を囲むように配置されている。従って、第一通路ＤＬ１０及び第二通路ＤＬ１１を経由する空気は、洗濯物乾燥庫ＤＬ内の洗濯物には触れずに熱交換のみを行うので、第一通路ＤＬ１０及び第二通路ＤＬ１１は、乾燥対象となる洗濯物が配置されない第二空間Ｚ０２として構成されている。一方、洗濯物乾燥庫ＤＬの内、第一通路ＤＬ１０及び第二通路ＤＬ１１を除く空間は、乾燥対象となる洗濯物が配置される第一空間Ｚ０１として構成されている。従って、洗濯物乾燥庫ＤＬは、第一空間Ｚ０１と第二空間Ｚ０２とを有する二重構造を成している。
【００５７】
上述したように、洗濯物乾燥ユニットＤＵには、吸気ダクトＤin側にフィルターＤＬ１、除菌ユニットＤＬ２、及び芳香ユニットＤＬ３が、排気ダクトＤout側に排気ファンＤＬ４及び脱臭ユニットＤＬ５が、それぞれ設けられている。吸気ダクトＤin側から流入した空気はフィルターＤＬ１を通過した後、除菌ユニットＤＬ２を通過し、更に芳香ユニットＤＬ３を通過するように構成されている。芳香ユニットＤＬ３を通過した空気の一部は空気流入口ＤＬ８を通って洗濯物乾燥庫ＤＬに流入し、残部は第一通路ＤＬ１０及び第二通路ＤＬ１１に流入する。空気流入口ＤＬ８から洗濯物乾燥庫ＤＬに流入した空気は、内部に配置されている洗濯物の近傍を通過した後に空気流出口ＤＬ９へと流れる。また、第一通路ＤＬ１０及び第二通路ＤＬ１１内に流れ込んだ空気は、その流れ込んだ一端から他端に向けて流れる。このように空気が流れていく先（すなわち排気ダクトＤout方向）には、排気ファンＤＬ４が設けられ、その先に脱臭ユニットＤＬ５が設けられている。この排気ファンＤＬ４の回転によって、洗濯物乾燥庫ＤＬ、第一通路ＤＬ１０及び第二通路ＤＬ１１には負圧が生じて、それらの内部にある空気がより円滑に排気ダクトＤout側へと流れる。排気ファンＤＬ４を通過した空気は、脱臭ユニットＤＬ５を通過した後に、排気ダクトＤoutへと流出する。
【００５８】
このように、吸気ダクトＤinが接続され洗濯物乾燥庫ＤＬ内に空気を導入する吸気口を洗濯物乾燥庫ＤＬの下部に、排気ダクトＤoutが接続され洗濯物乾燥庫ＤＬから空気を排出する排気口を洗濯物乾燥庫ＤＬの上部に、それぞれ設けているので、衣類乾燥のために温風を上部から吹出す構成においては、衣類の乾きムラが出やすいが本構成においては、洗濯物乾燥庫の下部から温風を供給する構成にしていることから、暖かい空気が上昇気流の効果も備えて衣類に均一にあたることから乾きムラを防げると共に乾燥時間を短縮させる効果にも繋がっているものである。
【００５９】
本実施形態の場合、洗濯物乾燥庫ＤＬを挟んで下方には吸気ユニットＤＬａが、上方には排気ユニットＤＬｂがそれぞれ形成されている。吸気ユニットＤＬａには、フィルターＤＬ１、除菌ユニットＤＬ２、及び芳香ユニットＤＬ３が配置されている。排気ユニットＤＬｂには、排気ファンＤＬ４及び脱臭ユニットＤＬ５が配置されている。吸気ユニットＤＬａ及び排気ユニットＤＬｂは、洗濯物乾燥庫ＤＬから取り外し可能なように構成されている。また、吸気ユニットＤＬａからは、フィルターＤＬ１、除菌ユニットＤＬ２、及び芳香ユニットＤＬ３がそれぞれ独立して取り外し可能なように構成されている。また、排気ユニットＤＬｂからは、排気ファンＤＬ４及び脱臭ユニットＤＬ５がそれぞれ独立して取り外し可能なように構成されている。従って、上述した各機能ユニットである、フィルターＤＬ１、除菌ユニットＤＬ２、芳香ユニットＤＬ３、排気ファンＤＬ４、及び脱臭ユニットＤＬ５は、それぞれ取り外してメンテナンスすることが可能なように構成されている。
【００６０】
図２に戻って、他の構成要素について説明する。歯ブラシ収納ユニットＳＵは、側方収納庫ＳＬＣ２内に洗濯物乾燥ユニットＤＵと並設されている。歯ブラシ収納ユニットＳＵには、上述した吸気ダクトＤinと、排気ダクトＤoutとが接続されている。より具体的には、吸気ダクトＤinを構成するダクトＤ０３と、排気ダクトＤoutを構成するダクトＤ０５とが接続されている。従って、洗面所暖房機ＨＵから吹き出された温風がダクトＤ０３から供給され、ダクトＤ０５から排出することができるように構成されている。
【００６１】
ここで、図８を参照しながら、歯ブラシ収納ユニットＳＵについてより詳細に説明する。図８に示すように、歯ブラシ収納ユニットＳＵ内には、吸気ダクトＤin側にフィルターＳＬ１及び除菌ユニットＳＬ２が、排気ダクトＤout側に排気ファンＳＬ４及び脱臭ユニットＳＬ５が、それぞれ設けられている。また、歯ブラシ収納ユニットＳＵには、歯ブラシ収納庫ＳＬが形成されており、吸気ダクトＤin側から流入した空気は、フィルターＳＬ１を通った後、除菌ユニットＳＬ２を通り、歯ブラシ収納庫ＳＬに流入する。歯ブラシ収納庫ＳＬに流入した空気は、排気ファンＳＬ４の回転に応じて生じる負圧によって、排気ダクトＤout側に流れ、排気ファンＳＬ４及び脱臭ユニットＳＬ５を通って排気ダクトＤoutへと流出する。
【００６２】
本実施形態の場合、歯ブラシ収納庫ＳＬを挟んで下方には吸気ユニットＳＬａが、上方には排気ユニットＳＬｂがそれぞれ形成されている。吸気ユニットＳＬａには、フィルターＳＬ１及び除菌ユニットＳＬ２が配置されている。排気ユニットＳＬｂには、排気ファンＳＬ４及び脱臭ユニットＳＬ５が配置されている。吸気ユニットＳＬａ及び排気ユニットＳＬｂは、歯ブラシ収納庫ＳＬから取り外し可能なように構成されている。また、吸気ユニットＳＬａからは、フィルターＳＬ１及び除菌ユニットＤＬ２がそれぞれ独立して取り外し可能なように構成されている。また、排気ユニットＳＬｂからは、排気ファンＳＬ４及び脱臭ユニットＳＬ５がそれぞれ独立して取り外し可能なように構成されている。従って、上述した各機能ユニットである、フィルターＳＬ１、除菌ユニットＳＬ２、排気ファンＳＬ４、及び脱臭ユニットＳＬ５は、それぞれ取り外してメンテナンスすることが可能なように構成されている。
【００６３】
図２に戻って排気ダクトＤoutについて説明すると、ダクトＤ０４とダクトＤ０５とは合流してダクトＤ０６へと繋がっており、ダクトＤ０６は浴室若しくは屋外へと繋がっている。従って、洗濯物乾燥ユニットＤＵ及び歯ブラシ収納ユニットＳＵから排出された空気は浴室若しくは屋外へと送り出される。
【００６４】
続いて、洗面所暖房機ＨＵと、浴室乾燥機２０とを制御する態様について、図９及び図１０を参照しながら説明する。図９は、洗面所暖房機ＨＵ及び浴室乾燥機２０を制御する洗面所リモコンの操作パネル５０を示す図である。図１０は、洗面所暖房機ＨＵ及び浴室乾燥機２０の制御ブロック図である。
【００６５】
図９に示すように、操作パネル５０には、主領域５１と、浴室乾燥領域５２と、洗面所暖房領域５３と、予約運転領域５４とが形成されている。主領域５１には、表示部５０１と、スピーカー５０２と、確定ボタン５０３と、終了ボタン５０４と、選択キー５０５と、電源ボタン５０６とが設けられている。
【００６６】
表示部５０１は、設定のための諸情報の表示を行う部分である。スピーカー５０２は、警告音や操作音、音声ガイドを発するための部分である。選択キー５０５は、表示部５０１に表示された情報を選択するためのスイッチであって、上向き三角のボタンを押下すると選択部分が上に移動し、下向き三角のボタンを押下すると選択部分が下に移動する。確定ボタン５０３は、選択キー５０５で選択した部分を確定させるためのボタンである。終了ボタン５０４は、設定動作を終了させるためのボタンである。電源ボタン５０６は、主電源を投入するためのボタンである。
【００６７】
浴室乾燥領域５２には、浴室暖房ボタン５２１と、浴室乾燥ボタン５２２と、浴室涼風ボタン５２３とが設けられている。浴室暖房ボタン５２１は、浴室乾燥機２０を作動させ、浴室２内を暖房するためのボタンである。浴室乾燥ボタン５２２は、浴室乾燥機２０を作動させ、浴室２内を乾燥するためのボタンである。浴室涼風ボタン５２３は、浴室乾燥機２０を作動させ、浴室２内に涼風を送り込むためのボタンである。
【００６８】
洗面所暖房領域５３には、暖房ボタン５３１と、涼風ボタン５３２と、洗面所ボタン５３３と、洗濯物乾燥ボタン５３４と、除菌ボタン５３５と、芳香ボタン５３６と、歯ブラシ除菌乾燥ボタン５３７とが設けられている。
【００６９】
暖房ボタン５３１は、洗面所暖房機ＨＵを作動させ、洗面所３内を暖房するためのボタンである。涼風ボタン５３２は、洗面所暖房機ＨＵを作動させ、洗面所３内に涼風を送り込むためのボタンである。洗面所ボタン５３３は、洗面所３内に洗面所暖房機ＨＵからの風を送り込むように、洗面所暖房機ＨＵを制御するためのボタンである。洗濯物乾燥ボタン５３４は、洗濯物乾燥ユニットＤＵの洗濯物乾燥庫ＤＬ内に洗面所暖房機ＨＵからの風を送り込むように、洗面所暖房機ＨＵを制御するためのボタンである。従って、洗面所ボタン５３３のみを押下すると、洗面所を暖房する洗面所暖房モードの制御が実行され、洗濯物乾燥ボタン５３４を押下すると、洗濯物乾燥庫ＤＬ内に収容された洗濯物を乾燥させる洗濯物乾燥モードの制御が実行される。また、洗面所ボタン５３３と洗濯物乾燥ボタン５３４との双方が押下されると、洗面所暖房機ＨＵが吹き出す空気の一部を洗濯物乾燥庫ＤＬ内に分配して吹き出す併用モードの制御が実行される。
【００７０】
除菌ボタン５３５は、洗濯物乾燥ユニットＤＵ内の除菌ユニットＤＬ２を作動させ、洗濯物乾燥庫ＤＬ内に吸気する空気を除菌するためのボタンである。芳香ボタン５３６は、洗濯物乾燥ユニットＤＵ内の芳香ユニットＤＬ３を作動させ、洗濯物乾燥庫ＤＬ内に吸気する空気に香り付けするためのボタンである。歯ブラシ除菌乾燥ボタン５３７は、歯ブラシ収納ユニットＳＵ内の除菌ユニットＳＬ２を作動させ、歯ブラシ収納庫ＳＬ内に吸気する空気を除菌するためのボタンである。
【００７１】
予約運転領域５４には、運転予約ボタン５４８と、予約解除ボタン５４９とが設けられている。運転予約ボタン５４８は、浴室乾燥機２０又は洗面所暖房機ＨＵの動作を予約するためのボタンである。予約解除ボタン５４９は、浴室乾燥機２０又は洗面所暖房機ＨＵの動作予約を解除するためのボタンである。
【００７２】
図１０に示すように、洗面所暖房機ＨＵ及び浴室乾燥機２０の制御ブロックは、主として洗面所暖房機ＨＵを制御するための暖房機制御ブロック６０と、主として洗濯物乾燥ユニットＤＵを制御するための乾燥ユニット制御ブロック６１と、主として浴室乾燥機２０を制御するための浴室乾燥機制御ブロック６２と、から構成されている。
【００７３】
主として洗面所暖房機ＨＵを制御するための暖房機制御ブロック６０は、ＣＰＵ６０１と、メモリ６０２と、ファン用モータ６０３と、ファン４２と、ダンパ用モータ６０４と、ダンパ４６と、ヒーター４３と、温度センサ４７と、を備えている。ＣＰＵ６０１は、メモリ６０２に格納されているデータやソフトウェアを読み出して所定の演算処理を実行する制御手段として機能する部分であって、洗面所リモコンの操作パネル５０から入力された情報に基づいて動作を行うものである。ＣＰＵ６０１には、温度センサ４７から温度測定信号が入力される。ＣＰＵ６０１は、ファン用モータ６０３、ダンパ用モータ６０４、及びヒーター４３のそれぞれに、制御信号を出力する。その結果、ファン用モータ６０３、ダンパ用モータ６０４、及びヒーター４３が所定の動作を実行する。
【００７４】
ＣＰＵ６０１は、洗濯物乾燥ユニットＤＵの制御手段としても機能しており、乾燥ユニット制御ブロック６１とも信号の授受を行っている。主として洗濯物乾燥ユニットＤＵを制御するための乾燥ユニット制御ブロック６１は、排気ファン用モータ６１１と、排気ファンＤＬ４と、温度センサＤＬ６と、湿度センサＤＬ７と、除菌ユニットＤＬ２と、芳香ユニットＤＬ３と、を備えている。ＣＰＵ６０１には、温度センサＤＬ６から温度測定信号が入力され、湿度センサＤＬ７から湿度測定信号が入力される。ＣＰＵ６０１は、排気ファン用モータ６１１、除菌ユニットＤＬ２、及び芳香ユニットＤＬ３のそれぞれに、制御信号を出力する。その結果、排気ファン用モータ６１１、除菌ユニットＤＬ２、及び芳香ユニットＤＬ３が所定の動作を実行する。
【００７５】
主として浴室乾燥機２０を制御するための浴室乾燥機制御ブロック６２は、ＣＰＵ６２１と、メモリ６２２と、換気ファン用モータ６２３と、換気ファン６２４と、循環ファン用モータ６２５と、循環ファン６２６と、ダンパ用モータ６２７と、ダンパ６２８と、暖房ヒーター６２９と、温度センサ６３０と、浴室操作パネル６３１とを備えている。ＣＰＵ６２１は、メモリ６２２に格納されているデータやソフトウェアを読み出して所定の演算処理を実行する制御手段として機能する部分であって、洗面所リモコンの操作パネル５０や浴室操作パネル６３１から入力された情報に基づいて動作を行うものである。ＣＰＵ６２１には、温度センサ６３０から温度測定信号が入力される。ＣＰＵ６２１は、換気ファン用モータ６２３、循環ファン用モータ６２５、ダンパ用モータ６２７、及び暖房ヒーター６２９のそれぞれに、制御信号を出力する。その結果、換気ファン用モータ６２３、循環ファン用モータ６２５、ダンパ用モータ６２７、及び暖房ヒーター６２９が所定の動作を実行する。
【００７６】
続いて、図１１を参照しながら、洗面所暖房機ＨＵの制御フローについて説明する。図１１は、洗面所暖房機ＨＵの制御フローチャートである。図１１に示す制御フローチャートは、洗面所暖房機ＨＵを動作させて、洗濯物乾燥ユニットＤＵ（洗濯物乾燥庫ＤＬ）において洗濯物を乾燥させる動作を説明するものである。
【００７７】
ＣＰＵ６０１において、洗濯物乾燥モードの設定となっているか否かが判断される（ステップＳ０１）。上述したように、操作パネル５０の洗濯物乾燥ボタン５３４が押下されていれば、その信号がＣＰＵ６０１に出力され、洗濯物乾燥モードの設定となっているものと判断される。この判断の結果、洗濯物乾燥モードの設定となっていればステップＳ０２の処理に進み、洗濯物乾燥モードの設定となっていなければステップＳ０３の処理に進む。
【００７８】
ステップＳ０１の判断において、洗濯物乾燥モードの設定となっていなければ、ＣＰＵ６０１において、洗濯物乾燥モードをＯＦＦとし、このフローによる処理を終了する（ステップＳ０３）。
【００７９】
ステップＳ０１の判断において、洗濯物乾燥モードの設定となっていれば、ＣＰＵ６０１において、洗面所暖房モードも設定され、併用モードとして洗面所の暖房も同時に実行するか判断する（ステップＳ０２）。上述したように、操作パネル５０の洗面所ボタン５３３が押下されていれば、その信号がＣＰＵ６０１に出力され、洗面所暖房モードの設定となっているものと判断される。この判断の結果、併用モードの設定となっていればステップＳ０４の旅視に進み、併用モードの設定となっていなければステップＳ０５の処理に進む。
【００８０】
ステップＳ０２の判断において、併用モードの設定となっていれば、ＣＰＵ６０１において、洗面所暖房機ＨＵの風量が増加するように風量増加補正を行う（ステップＳ０４）。より具体的には、運転開始当初から１０分間は、基準風量の１．５倍となるように風量増加補正を行い、ＣＰＵ６０１からの制御信号の出力によりファン４２の回転数が増加するように制御する。また、本実施例はいうまでもないが一実施例を記述したものであり、規定の時間（１０分間）補正制御を行うようにしているが温度センサからの信号に基づき規定温度になるのを検知して制御するようにしてもよいものである。この風量増加補正に基づいて、第一吹出口４４と第二吹出口４５との双方から分配して送風を行う（ステップＳ０６）。具体的には、ＣＰＵ６０１からダンパ用モータ６０４への制御信号の出力によりダンパ４６を調整し、洗面所内を先に暖めるように、第一吹出口４４からの送風量を第二吹出口４５からの送風量よりも多くなるように送風を行う。一例としては、図１２に示すように、送風開始から１０分間は、第一吹出口４４からの送風量が９に対して、第二吹出口４５からの送風量が１となるように制御する。その後、第一吹出口４４からの送風量が７に対して、第二吹出口４５からの送風量が３となるように制御する。その後、送風開始から１時間経過後には、第一吹出口４４からの送風量が８に対して、第二吹出口４５からの送風量が２となるように制御する。これは、送風開始当初は、使用者が洗面所においてすぐに暖まりたいと考えているのに対して、洗濯物の乾燥はそれほどの緊急性を要しないことから、送風開始当初において洗面所への送風量を多くしているものである。また、送風開始から１時間も経過すれば、洗濯物がある程度乾いているものと考えられるので、洗面所への送風量を回復させている。ステップＳ０６の処理の後、ステップＳ０８の処理に進む。
【００８１】
ステップＳ０２の判断において、併用モードの設定となっていなければ、洗面所暖房機ＨＵの風量が洗濯物乾燥モードの通常の設定となるように風量補正を行う（ステップＳ０５）。より具体的には、運転開始当初から２０分間は、低回転モードの８割の回転数となるように風量補正を行い、その後は低回転モードの３割の回転数となるように風量補正を行う。この風量補正に基づいて、ＣＰＵ６０１からの制御信号の出力によりファン４２の回転数が低下するように制御する。これは、洗濯物乾燥庫ＤＬの容量が小さいものであるため、洗面所の暖房を主目的としている洗面所暖房機ＨＵの風量を通常の暖房運転と同等としてしまっても、実際には空気抵抗により、空気の送り込みが十分に行えなくなるためである。この風量補正に基づいて、第二吹出口４５から送風を行う（ステップＳ０７）。具体的には、ＣＰＵ６０１からダンパ用モータ６０４への制御信号の出力によりダンパ４６を調整し、第一吹出口４４側を閉じて、第二吹出口４５側のみを開く。その後、ステップＳ０８の処理に進む。
【００８２】
続いて、ＣＰＵ６０１から排気ファン用モータ６１１への制御信号の出力により、排気ファンＤＬ４の回転が、運転開始当初から段階的に低下するように制御する（ステップＳ０８）。これは、運転開始の初期段階では、洗濯物の水分が多く、洗濯物乾燥庫ＤＬ内の湿度が高いため積極的に空気を入れ替える必要があるものの、やがて洗濯物の水分が少なくなるため空気との接触時間を増やして洗濯物乾燥庫ＤＬ内の温度を上げて洗濯物の仕上げ乾燥を行うカラットさせる効果をねらったものである。この処理が終了すると、ステップＳ０９の処理に進む。
【００８３】
ＣＰＵ６０１において、洗濯物乾燥モードの開始から１０分が経過したかが判断される（ステップＳ０９）。この判断の結果、洗濯物乾燥モードの開始から１０分が経過していれば、ステップＳ１０の処理に進み、１０分が経過していなければ、リターンする。
【００８４】
ステップＳ０９の判断の結果、洗濯物乾燥モードの開始から１０分が経過していると判断されれば、除菌処理が求められているか判断する（ステップＳ１０）。上述したように、操作パネル５０の除菌ボタン５３５が押下されていれば、その信号がＣＰＵ６０１に出力され、除菌処理が求められているものと判断される。この判断の結果、除菌処理が求められていればステップＳ１１の処理に進み、除菌処理が求められていなければステップＳ１２の処理に進む。
【００８５】
ステップＳ１０の判断の結果、除菌処理が求められていれば、ＣＰＵ６０１から除菌ユニットＤＬ２への制御信号の出力により除菌処理が実行される（ステップＳ１１）。この処理の実行の後、ステップＳ１２の処理に進む。
【００８６】
ＣＰＵ６０１において、洗濯物乾燥モードの開始から１５分が経過したかが判断される（ステップＳ１２）。この判断の結果、洗濯物乾燥モードの開始から１５分が経過していれば、ステップＳ１３の処理に進み、１５分が経過していなければ、リターンする。
【００８７】
ステップＳ１２の判断の結果、洗濯物乾燥モードの開始から１５分が経過していると判断されれば、芳香処理が求められているか判断する（ステップＳ１３）。上述したように、操作パネル５０の芳香ボタン５３６が押下されていれば、その信号がＣＰＵ６０１に出力され、芳香処理が求められているものと判断される。この判断の結果、芳香処理が求められていればステップＳ１４の処理に進み、芳香処理が求められていなければリターンする。
【００８８】
ステップＳ１３の判断の結果、芳香処理が求められていれば、ＣＰＵ６０１から芳香ユニットＤＬ３への制御信号の出力により芳香処理が実行される（ステップＳ１４）。この処理の後、リターンする。
【００８９】
続いて、図１３〜図１５を参照しながら、洗濯物乾燥ユニットＤＵの変形例である洗濯物乾燥ユニットＤＵａについて説明する。図１３は、洗濯物乾燥ユニットＤＵａを化粧鏡ＬＭ側から見た概略的な断面図である。図１４は、洗濯物乾燥ユニットＤＵａの裏面の構造を概略的に示した図である。図１５は、洗濯物乾燥ユニットＤＵａに接続される給排気ユニットＵの構造を概略的に示した図である。
【００９０】
図１３に示すように、洗濯物乾燥ユニットＤＵａは、中段の側方収納庫ＳＬＣ２内に収容されている。洗濯物乾燥ユニットＤＵａの後方には、給排気ユニットＵが収容されている。洗濯物乾燥ユニットＤＵａは、洗濯物乾燥庫７０と、洗濯物乾燥庫７０の下部に配置される吸気ユニット７１と、洗濯物乾燥庫７０の上部に配置される排気ユニット７２とによって構成されている。
【００９１】
洗濯物乾燥庫７０には、支持棒７０１が設けられていて、洗濯物ＣＬを干すことができるように構成されている。洗濯物乾燥庫７０の下面は開放されており、吸気ユニット７１から送り出される空気が内部に流入可能なように構成されていると共に、上面も開放されていて排気ユニット７２へと空気が流出可能なように構成されている。
【００９２】
吸気ユニット７１は、吸気室７１０が形成されていて、吸気室７１０の上面には供給穴７１１が複数形成されている。従って、吸気ユニット７１を洗濯物乾燥庫７０の下面に当接させると、吸気室７１０内の空気が供給穴７１１を通って洗濯物乾燥庫７０内へと供給されるように構成されている。
【００９３】
排気ユニット７２は、排気室７２０が形成されていて、排気室７２０の下面には排出穴７２１が複数形成されている。従って、排気ユニット７２を洗濯物乾燥庫７０の下面に当接させると、洗濯物乾燥庫７０内の空気が排出穴７２１を通って排気室７２０へと排出されるように構成されている。
【００９４】
このように構成されている洗濯物乾燥ユニットＤＵａを裏面から見ると、図１４に示すようになっている。図１４に示すように、排気ユニット７２においては、排気室７２０に連通する外部排気穴７２２が形成されている。また、吸気ユニット７１においては、吸気室７１０に連通する外部吸気穴７１２が形成されている。この外部吸気穴と反対側の側面近傍には水抜き穴７１３が形成されている。上述したように、吸気ユニット７１は洗濯物乾燥庫７０の下方に配置されており、その上面には空気の供給穴７１１が形成されている。この供給穴７１１は、空気の供給穴であると共に、洗濯物の水滴を通す穴としても機能している。供給穴７１１を通過した水滴は、吸気室７１０の床面７１４に滴下する。そこで、この実施形態では、吸気室７１０の床面７１４を水抜き穴７１３に向けて傾斜させている。従って、吸気室７１０（特にその床面７１４）は、水受けトレイとして機能している。
【００９５】
図１５に示すように、給排気ユニットＵは、箱状且つ中空の本体Ｕ１を、仕切り板７３で仕切って、吸気室７４と排気室７５とを形成している。吸気室７４には、接続口７４２を介してドレンＤ２が繋がれていると共に、吸気穴７４１が形成されている。接続口７４２は給排気ユニットＵの上端に形成されており、吸気穴７４１は、接続口７４２から離れた位置である給排気ユニットＵの下端近傍に形成されている。この吸気穴７４１は、洗濯物乾燥ユニットＤＵａの裏面に給排気ユニットＵが配置された場合に、洗濯物乾燥ユニットＤＵａの外部吸気穴７１２と連通するように形成されている。
【００９６】
排気室７５には、接続口７５３を介してダクトＤ４が繋がれていると共に、排気穴７５２が形成されている。接続口７５３は給排気ユニットＵの上端に形成されており、排気穴７５２もその近傍に形成されている。この排気穴７５２は、洗濯物乾燥ユニットＤＵａの裏面に給排気ユニットＵが配置された場合に、洗濯物乾燥ユニットＤＵａの外部排気穴７２２と連通するように形成されている。
【００９７】
更に排気室７５には、ドレン管ＤＲに繋がる水抜き穴７５１が形成されている。水抜き穴７５１は、排気穴７５２から離れた位置である給排気ユニットＵの下端近傍に形成されている。この水抜き穴７５１は、洗濯物乾燥ユニットＤＵａの裏面に給排気ユニットＵが配置された場合に、洗濯物乾燥ユニットＤＵａの水抜き穴７１３と連通するように形成されている。
【００９８】
上述したような構成の給排気ユニットＵを採用することで、この給排気ユニットＵにドレンＤ２及びドレンＤ４を接続して側方収納庫ＳＬＣ２内に配置することで洗濯物乾燥ユニットＤＵａの取り付け準備が完了することになる。洗濯物乾燥ユニットＤＵａの側面にはガイドレール７６（ガイド手段）が上下左右に合計４箇所設けられているので、このガイドレール７６を側方収納庫ＳＬＣ２の内側側面に設けられているガイドレール（ガイド手段）に沿わせることで、洗濯物乾燥ユニットＤＵａを容易に側方収納庫ＳＬＣ２内に収めることができる。洗濯物乾燥ユニットＤＵａを側方収納庫ＳＬＣ２内に収めると、上述したように配管が完了するので、洗濯物乾燥ユニットＤＵａの設置が容易なものとなる。
【００９９】
上述した洗面所暖房機ＨＵでは、ダンパ４６によって、第一吹出口４４からの空気の吹き出しと、第二吹出口４５からの空気の吹き出しとを切り替えているが、洗面所への空気の吹き出しと洗濯物乾燥ユニットＤＵへの空気の吹き出しとの切り替え手法はこの態様に限られるものではない。その変形例を図１６及び図１７に示す。
【０１００】
図１６に示す例では、洗面所暖房機ＨＵ１は、一つのファン８１及び一つのヒーター８２を備えている。ファン８１が回転するとヒーター８２を通過する空気の流れが生じる。この空気の流れる方向には、第一ルーバー８３と第二ルーバー８４とが設けられている。この変形例の場合、洗面所暖房機ＨＵ１から空気を吹き出す開口は単一なものとして形成されており、第一ルーバー８３及び第二ルーバー８４の向く方向を切り替えることで、空気の流れを分割している。第一ルーバー８３は、通過する空気がダクトＤ０７の一端８５に向かうように形成されている。このダクトＤ０７は、洗濯物乾燥ユニットＤＵに接続されており、洗濯物乾燥ユニットＤＵからは排気用のダクトＤ０８が延びている。従って、第一ルーバー８３によってダクトＤ０７の一端８５に方向付けられた空気は、洗濯物乾燥ユニットＤＵに供給され、洗濯物の乾燥に利用される。
【０１０１】
図１７に示す例では、洗濯物乾燥ユニットＤＵｂに吸気スリット８６を設け、ダクトＤ０７を省略している。この場合、第一ルーバー８３は、通過する空気が吸気スリット８６に向かうように形成されている。吸気スリット８６は、洗濯物乾燥ユニットＤＵｂ内の洗濯物乾燥庫ＤＬに繋がっているので、第一ルーバー８３によって吸気スリット８６に方向付けられた空気は、洗濯物乾燥ユニットＤＵに供給され、洗濯物の乾燥に利用される。
【０１０２】
上述した洗濯物乾燥ユニットＤＵでは、洗濯物乾燥庫ＤＬ内に負圧を発生させるため、専用の排気ファンＤＬ４を設けていたが、この排気ファンＤＬ４を省略した洗濯物乾燥ユニットＤＵｃであっても、他の部分で対策を施すことにより洗濯物乾燥ユニットＤＵと同等の機能を発揮することができる。専用の排気ファンＤＬ４を省略した洗濯物乾燥ユニットＤＵｃを利用する例を図１８〜図２０を参照しながら説明する。
【０１０３】
図１８に示す例では、洗面所暖房機として上述した洗面所暖房機ＨＵ１を用いている。また、洗面所暖房機ＨＵ１から吹き出される空気を洗濯物乾燥ユニットＤＵｃに供給するダクトも、上述したダクトＤ０７を用いている。洗濯物乾燥ユニットＤＵｃから延びる排気用のダクトＤ０９には分岐用のダンパ８８が設けられている。このダンパ８８が設けられている部分から、外部への排気用のダクトＤ１０と、洗面所暖房機ＨＵ１の吸気用のダクトＤ１２と繋がるダクトＤ１１とが分岐している。ダクトＤ１０には排気ファン８７が設けられている。ダクトＤ１１には、除湿装置８９が設けられている。
【０１０４】
図１８に示すような態様とすれば、排気経路をダクトＤ１０側の外部排気経路とする場合には、排気ファン８７の回転により洗濯物乾燥ユニットＤＵｃ内に負圧を発生させることができる。また、排気経路をダクトＤ１１側の循環経路とする場合には、洗面所暖房機ＨＵ１のファン８１の回転により洗濯物乾燥ユニットＤＵｃ内に負圧を発生させることができる。このように循環経路とする場合であっても、除湿装置８９により洗濯物乾燥ユニットＤＵｃから排出される湿気を含んだ空気から水分を取り除いて、洗面所暖房機ＨＵ１に供給することができる。図１８に示す例では、除湿装置８９をダクトＤ１１に配置したが、洗濯物乾燥ユニットＤＵｃ内に設けることも好ましい態様である。
【０１０５】
また、図１８に示すような態様では、ダンパ８８をＣＰＵ６０１からの指示信号の出力に応じて、洗濯物乾燥庫ＤＬへの温風の供給初期に比して後期は、洗面所外への排気量よりも洗面所暖房機ＨＵ１への循環量が多くなるように制御されることも好ましい態様である。洗濯物乾燥庫ＤＬへの温風供給初期には多湿状態の空気が排出されるため、洗面所外への排気量を多くし、その後多湿状態が解消された空気を洗面所内へと循環させることができるので、多湿状態の空気の影響を抑えながら温風の再利用が可能となって、使い勝手の向上と省エネルギー効果とを両立することができる。つまり、このように構成することで、除湿装置８９の運転を最小限に抑えることができる。
【０１０６】
図１８に示す例では、外部排気側のダクトに排気ファン８７を配置したけれども、この排気ファン８７の機能を、浴室乾燥機２０の換気ファン６２４（図１０参照）に担わせることも好ましい態様である。この例を図１９に示す。図１９に示すように、洗濯物乾燥ユニットＤＵｃから延びる排気用のダクトＤ０９には排気ファンは設けられておらず、そのまま浴室乾燥機２０に接続されている。
【０１０７】
上述した各例では、洗面所暖房機ＨＵ１は従来の洗面所暖房機と大きく構成を異にするものではないけれども、洗濯物乾燥ユニットＤＵｃ内に負圧を発生させる観点に特化した構成の洗面所暖房機ＨＵ２を採用することも好ましい。この例を図２０に示す。図２０に示すように、洗面所暖房機ＨＵ２は、洗面所暖房用の吸気ダクトＤ１３と、洗面所暖房用のファン９１と、洗面所暖房用のヒーター９３と、洗濯物乾燥用の吸気ダクトＤ１４と、洗濯物乾燥用のファン９２と、洗濯物乾燥用のヒーター９４とを供えている。洗面所暖房機ＨＵ２と洗濯物乾燥ユニットＤＵｃとを繋ぐダクトＤ１５は、洗濯物乾燥用のヒーター９４の近傍に密着配置されている。
【０１０８】
図２０に示すような構成とすることで、ファン９１を回転させれば洗面所の暖房を独立して行うことができ、ファン９２を回転させれば洗濯物乾燥ユニットＤＵｃへの送風を独立して行うことができる。また、洗面所暖房機ＨＵ２と洗濯物乾燥ユニットＤＵｃとを繋ぐダクトＤ１５は、洗濯物乾燥用のヒーター９４の近傍に密着配置されているので、ファン９２の回転により空気抵抗に関係なく、強制的に空気を送り込むことができる。
【０１０９】
図１８を参照しながら説明した除湿装置８９は、上述したようにダクトＤ１１に配置する態様の他に、洗濯物乾燥ユニットＤＵｃ内に設けることも好ましい態様である。除湿装置としての結露部材をユニット内に設けた洗濯物乾燥ユニットＤＵ１について図２１を参照しながら説明する。
【０１１０】
図２１に示すように、洗濯物乾燥ユニットＤＵ１内には、吸気ダクト側にフィルターＤＬ１、除菌ユニットＤＬ２、及び芳香ユニットＤＬ３が、排気ダクト側に排気ファンＤＬ４、結露部材８０３及び脱臭ユニットＤＬ５が、それぞれ設けられている。また、洗濯物乾燥ユニットＤＵ１には、洗濯物乾燥庫ＤＬｙが形成されており、この洗濯物乾燥庫ＤＬｙに空気を流入させるための空気流入口ＤＬ８と、洗濯物乾燥庫ＤＬｙから空気を流出させるための空気流出口ＤＬ９とが形成されている。空気流入口ＤＬ８は洗濯物乾燥庫ＤＬｙの下方に、空気流出口ＤＬ９は洗濯物乾燥庫ＤＬｙの上方に、それぞれ設けられている。洗濯物乾燥庫ＤＬｙには、空気のバイパス経路として、第一通路ＤＬ１０ａと第二通路ＤＬ１１ａとが設けられている。第一通路ＤＬ１０ａは、洗濯物乾燥庫ＤＬｙの中心近傍を貫通するように配置されている。第二通路ＤＬ１１ａは、洗濯物乾燥庫ＤＬｙの周囲を囲むように配置されている。第一通路ＤＬ１０ａには、洗濯物収納空間である第一空間Ｚ０１に通じる横開口８０２が形成されている。また、第二通路ＤＬ１１ａには、同様の横開口８０１が形成されている。従って、第一通路ＤＬ１０ａ及び第二通路ＤＬ１１ａを経由する空気は、その一部が洗濯物乾燥庫ＤＬ内の洗濯物に触れるように供給され、残部は洗濯物に触れないように排気管８０４から排出される。一方、空気流出口ＤＬ９から排出され、排気ファンＤＬ４、結露部材８０３及び脱臭ユニットＤＬ５を経由した空気は排気管８０５から排出される。
【０１１１】
上述したように、洗濯物乾燥ユニットＤＵ１には、吸気ダクト側にフィルターＤＬ１、除菌ユニットＤＬ２、及び芳香ユニットＤＬ３が、排気ダクト側に排気ファンＤＬ４、結露部材８０３及び脱臭ユニットＤＬ５が、それぞれ設けられている。吸気ダクト側から流入した空気はフィルターＤＬ１を通過した後、除菌ユニットＤＬ２を通過し、更に芳香ユニットＤＬ３を通過するように構成されている。芳香ユニットＤＬ３を通過した空気の一部は空気流入口ＤＬ８を通って洗濯物乾燥庫ＤＬｙに流入し、残部は第一通路ＤＬ１０ａ及び第二通路ＤＬ１１ａに流入する。空気流入口ＤＬ８から洗濯物乾燥庫ＤＬｙに流入した空気は、内部に配置されている洗濯物の近傍を通過した後に空気流出口ＤＬ９へと流れる。また、第一通路ＤＬ１０ａ及び第二通路ＤＬ１１ａ内に流れ込んだ空気は、その流れ込んだ一端から他端に向けて流れ、一部は横開口８０１，８０２から洗濯物が配置された第一空間Ｚ０１側へと流入する。このように空気が流れていく先には、排気ファンＤＬ４が設けられ、その先に結露部材８０３及び脱臭ユニットＤＬ５が設けられている。この排気ファンＤＬ４の回転によって、洗濯物乾燥庫ＤＬｙには負圧が生じて、その内部にある空気がより円滑に排気管８０５側へと流れる。
【０１１２】
図２１に示す例の場合、洗濯物乾燥庫ＤＬｙを挟んで下方には吸気ユニットＤＬｙａが、上方には排気ユニットＤＬｙｂがそれぞれ形成されている。吸気ユニットＤＬｙａには、フィルターＤＬ１、除菌ユニットＤＬ２、及び芳香ユニットＤＬ３が配置されている。排気ユニットＤＬｙｂには、排気ファンＤＬ４、結露部材８０３及び脱臭ユニットＤＬ５が配置されている。吸気ユニットＤＬｙａ及び排気ユニットＤＬｙｂは、洗濯物乾燥庫ＤＬｙから取り外し可能なように構成されている。また、吸気ユニットＤＬｙａからは、フィルターＤＬ１、除菌ユニットＤＬ２、及び芳香ユニットＤＬ３がそれぞれ独立して取り外し可能なように構成されている。また、排気ユニットＤＬｙｂからは、排気ファンＤＬ４、結露部材８０３及び脱臭ユニットＤＬ５がそれぞれ独立して取り外し可能なように構成されている。従って、上述した各機能ユニットである、フィルターＤＬ１、除菌ユニットＤＬ２、芳香ユニットＤＬ３、排気ファンＤＬ４、結露部材８０３及び脱臭ユニットＤＬ５は、それぞれ取り外してメンテナンスすることが可能なように構成されている。
【図面の簡単な説明】
【０１１３】
【図１】本実施形態に係る洗面化粧台が設置された集合住宅の概略構成を示す図である。
【図２】図１に示す洗面化粧台をより詳細に説明するための構成図である。
【図３】洗面所暖房機を上方収納庫へ収容する態様について説明するための図である。
【図４】洗面所暖房機を上方収納庫へ収容する態様について説明するための図である。
【図５】洗面所暖房機を上方収納庫へ収容する態様について説明するための図である。
【図６】洗面所暖房機を上方収納庫へ収容する態様について説明するための図である。
【図７】洗濯物乾燥庫の構造を概略的に示す図である。
【図８】歯ブラシ収納庫の構造を概略的に示す図である。
【図９】洗面所暖房機及び浴室乾燥機を制御する操作パネルを示す図である。
【図１０】洗面所暖房機及び浴室乾燥機の制御ブロック図である。
【図１１】洗面所暖房機及び浴室乾燥機を制御するフローチャートである。
【図１２】図１１の制御における空気分配量の時系列変化を示すグラフである。
【図１３】変形例としての洗濯物乾燥ユニットを化粧鏡側から見た概略的な断面図である。
【図１４】図１３に示す洗濯物乾燥ユニットの裏面の構造を概略的に示した図である。
【図１５】図１３に示す洗濯物乾燥ユニットに接続される給排気ユニットの構造を概略的に示した図である。
【図１６】洗面所暖房機からの空気の吹き出しの変形例を説明するための図である。
【図１７】洗面所暖房機からの空気の吹き出しの変形例を説明するための図である。
【図１８】専用の排気ファンを有しない洗濯物乾燥ユニットを利用する例を説明するための図である。
【図１９】専用の排気ファンを有しない洗濯物乾燥ユニットを利用する例を説明するための図である。
【図２０】専用の排気ファンを有しない洗濯物乾燥ユニットを利用する例を説明するための図である。
【図２１】変形例としての洗濯物乾燥庫の構造を概略的に示す図である。
【符号の説明】
【０１１４】
１：住宅
２：浴室
３：洗面所
４：トイレ
５：クローゼット
６：排気通路
７：排気口
８，１０，１２：換気通路
９，１１，１３：吸気グリル
１４：操作パネル
１５：トイレ換気スイッチ
２０：浴室乾燥機
２０ａ：本体部
３２：キャビネット
３２ａ：排水トラップ
３３：カウンター
３４：洗面器
３５：水洗金具
３６：鏡
３７：照明装置
４１：吸引口
４２：ファン
４３：ヒーター
４４：第一吹出口
４５：第二吹出口
４６：ダンパ
４７：温度センサ
５０：操作パネル
５１：主領域
５２：浴室乾燥領域
５３：洗面所暖房領域
５４：予約運転領域
６０：暖房機制御ブロック
６１：乾燥ユニット制御ブロック
６２：浴室乾燥機制御ブロック
５０１：表示部
５０２：スピーカー
５０３：確定ボタン
５０４：終了ボタン
５０５：選択キー
５０６：電源ボタン
５２１：浴室暖房ボタン
５２２：浴室乾燥ボタン
５２３：浴室涼風ボタン
５３１：暖房ボタン
５３２：涼風ボタン
５３３：洗面所ボタン
５３４：洗濯物乾燥ボタン
５３５：除菌ボタン
５３６：芳香ボタン
５３７：歯ブラシ除菌乾燥ボタン
５４８：運転予約ボタン
５４９：予約解除ボタン
６０１：ＣＰＵ
６０２：メモリ
６０３：ファン用モータ
６０４：ダンパ用モータ
６１１：排気ファン用モータ
６２１：ＣＰＵ
６２２：メモリ
６２３：換気ファン用モータ
６２４：換気ファン
６２５：循環ファン用モータ
６２６：循環ファン
６２７：ダンパ用モータ
６２８：ダンパ
６２９：暖房ヒーター
６３０：温度センサ
６３１：浴室操作パネル
Ｄ０１，Ｄ０２，Ｄ０３，Ｄ０４，Ｄ０５，Ｄ０６：ダクト
Ｄin：吸気ダクト
Ｄout：排気ダクト
ＤＵ：洗濯物乾燥ユニット
ＤＬ：洗濯物乾燥庫
ＤＬ１：フィルター
ＤＬ１０：第一通路
ＤＬ１１：第二通路
ＤＬ２：除菌ユニット
ＤＬ３：芳香ユニット
ＤＬ４：排気ファン
ＤＬ５：脱臭ユニット
ＤＬ６：温度センサ
ＤＬ７：湿度センサ
ＤＬ８：空気流入口
ＤＬ９：空気流出口
ＤＬａ：吸気ユニット
ＤＬｂ：排気ユニット
ＤＲ：ドレン管
ＨＵ：洗面所暖房機
ＳＬＤ：洗面化粧台
ＬＤ：化粧台
ＬＭ：化粧鏡
ＳＵ：歯ブラシ収納ユニット
ＳＬ：歯ブラシ収納庫
ＳＬ１：フィルター
ＳＬ２：除菌ユニット
ＳＬ４：排気ファン
ＳＬ５：脱臭ユニット
ＳＬａ：吸気ユニット
ＳＬｂ：排気ユニット
ＳＬＣ：側方収納庫
ＳＬＣ１，ＳＬＣ２，ＳＬＣ３：側方収納庫
Ｕ：給排気ユニット
ＵＬＣ：上方収納庫
ＵＬＣ１，ＵＬＣ２，ＵＬＣ３，ＵＬＣ４：空間
【図１】
2010046245.tif 000003
【図２】
2010046245.tif 000004
【図３】
2010046245.tif 000005
【図４】
2010046245.tif 000006
【図５】
2010046245.tif 000007
【図６】
2010046245.tif 000008
【図７】
2010046245.tif 000009
【図８】
2010046245.tif 000010
【図９】
2010046245.tif 000011
【図１０】
2010046245.tif 000012
【図１１】
2010046245.tif 000013
【図１２】
2010046245.tif 000014
【図１３】
2010046245.tif 000015
【図１４】
2010046245.tif 000016
【図１５】
2010046245.tif 000017
【図１６】
2010046245.tif 000018
【図１７】
2010046245.tif 000019
【図１８】
2010046245.tif 000020
【図１９】
2010046245.tif 000021
【図２０】
2010046245.tif 000022
【図２１】
2010046245.tif 000023